(57)【要約】【課題】安定的な包装状態を実現でき、かつ、販売等の際にコンパクトに陳列できる清掃具を提供する。【解決手段】粘着テープロール２１を備える清掃具本体２と、前記清掃具本体２のうち少なくとも前記粘着テープロール２１を収納するケース３とを備え、前記清掃具本体２は、前記粘着テープロール２１を回転可能に支持するロール支持部２２と、清掃実施時に前記ロール支持部２２に接続された状態で用いられるハンドル２３とを備え、前記ケース３は、収納に際して前記粘着テープロール２１を通過させる開口部３１を備え、前記ハンドル２３は、少なくとも前記清掃具本体２の使用開始前において前記ロール支持部２２から分離されており、前記ケース３は、前記ロール支持部２２から分離したハンドル２３を保持するハンドル保持部４を備える清掃具１である。【選択図】図２
2020022598.tif 000002
【特許請求の範囲】
【請求項１】
粘着テープロールを備える清掃具本体と、前記清掃具本体のうち少なくとも前記粘着テープロールを収納するケースとを備え、
前記清掃具本体は、前記粘着テープロールを回転可能に支持するロール支持部と、清掃実施時に前記ロール支持部に接続された状態で用いられるハンドルとを備え、
前記ケースは、収納に際して前記粘着テープロールを通過させる開口部を備え、
前記ハンドルは、少なくとも前記清掃具本体の使用開始前において前記ロール支持部から分離されており、
前記ケースは、前記ロール支持部から分離した前記ハンドルを保持するハンドル保持部を備える清掃具。
【請求項２】
前記ハンドル保持部は、前記ケースの外面または内面に面している、請求項１に記載の清掃具。
【請求項３】
前記ロール支持部は、前記粘着テープロールの長手方向に対して平行に延びる第１部分と、前記第１部分に連続しており前記粘着テープロールの長手方向における少なくとも一方の端部を支持する第２部分とを備え、
前記ハンドルは、前記ロール支持部に接続された状態で、前記第１部分に対して前記粘着テープロールの長手方向に交わる方向に延びており、
前記ケースに前記ハンドルが分離した状態の前記ロール支持部が取り付けられ、かつ、前記ハンドル保持部に前記ハンドルが保持されたことにより、収納体が形成され、
前記収納体で前記開口部が上方を向くように配置された場合に、前記収納体に上向きの面を構成する上載置領域と、下向きの面を構成する下載置領域とが形成され、
前記上載置領域と前記下載置領域との上下寸法に対して、前記収納体における最上端と最下端との上下寸法が等しいか小さい、請求項１または２に記載の清掃具。
【請求項４】
前記収納体で前記開口部が上方を向くように配置された場合に、前記第１部分の上面が平面となっており、複数の前記収納体を上下方向に積んだ場合に前記上面に対して別の前記収納体における前記下載置領域が接する、請求項３に記載の清掃具。
【請求項５】
前記収納体における、前記開口部における周縁部の高さと、前記第１部分の上面の高さとが略等しい、請求項４に記載の清掃具。
【請求項６】
前記ケースに前記ハンドルが分離した状態の前記ロール支持部が取り付けられ、かつ、前記ハンドル保持部に前記ハンドルが保持されたことにより、収納体が形成され、
前記開口部は、前記ケースにおいて収納された前記粘着テープロールの長手方向に沿って設けられており、
前記ハンドル保持部は、前記ケースの内部であって、前記収納体における前記粘着テープロールの径方向中心よりも前記開口部寄りに設けられた、請求項１〜５のいずれかに記載の清掃具。
【請求項７】
前記ハンドル保持部は前記ケースの内部に設けられ、
前記ロール支持部は、前記粘着テープロールの長手方向に対して平行に延びる第１部分と、前記第１部分に連続しており前記粘着テープロールの長手方向における少なくとも一方の端部を支持する第２部分を備え、
前記ケースには前記ロール支持部が取り付けられ、その状態で前記第１部分は前記開口部の一部を覆い、
前記開口部において前記第１部分に覆われない部分の各々における幅寸法が、前記ハンドルの径寸法よりも小さい、請求項１〜６のいずれかに記載の清掃具。
【請求項８】
前記ハンドル保持部は前記ケースの内部に設けられ、
前記ケースには少なくとも１本の前記ハンドルが保持され、
前記ケースの長手方向における内寸に対し、前記ハンドルの全長が９０％以上１００％未満である、請求項１〜７のいずれかに記載の清掃具。
【発明の詳細な説明】
【技術分野】
【０００１】
本発明は、粘着テープロールの粘着力により、清掃対象物表面の塵埃等を除去できる清掃具に関するものである。
【背景技術】
【０００２】
従来、清掃具として種々の構成が提案されている。例えば、特許文献１には、販売等のための陳列時にコンパクトな形態とできるようにするため、取り外しできるグリップ部（ハンドル）を備えた清掃具が記載されている。
【先行技術文献】
【特許文献】
【０００３】
【特許文献１】特開２０１６−４１２１９号公報
【発明の概要】
【発明が解決しようとする課題】
【０００４】
しかし、このような構成では、グリップ部が清掃具の本体から離れてしまうと両者に物理的な関係性がなくなるため、グリップが一定の位置に配置されないことにより、安定的な包装をできなくなる可能性がある。
【０００５】
そこで本発明は、安定的な包装状態を実現でき、かつ、販売等の際にコンパクトに陳列できる清掃具を提供することを課題とする。
【課題を解決するための手段】
【０００６】
本発明は、粘着テープロールを備える清掃具本体と、前記清掃具本体のうち少なくとも前記粘着テープロールを収納するケースとを備え、前記清掃具本体は、前記粘着テープロールを回転可能に支持するロール支持部と、清掃実施時に前記ロール支持部に接続された状態で用いられるハンドルとを備え、前記ケースは、収納に際して前記粘着テープロールを通過させる開口部を備え、前記ハンドルは、少なくとも前記清掃具本体の使用開始前において前記ロール支持部から分離されており、前記ケースは、前記ロール支持部から分離した前記ハンドルを保持するハンドル保持部を備える清掃具である。
【０００７】
この態様によると、ケースにおけるハンドル保持部でハンドルを保持することにより、ケースとハンドルとの間に物理的な関係性を持たせることができる。よって、陳列時に分離したハンドルがケースからばらばらになることを防止できる。
【０００８】
また、前記ハンドル保持部は、前記ケースの外面または内面に面しているものとできる。
【０００９】
この態様によると、ハンドルをケースの外面または内面に面して保持できる。このため、ケースとハンドルとの距離を小さくできる。よって、ハンドルを保持した状態のケースをコンパクトにできる。
【００１０】
また、前記ロール支持部は、前記粘着テープロールの長手方向に対して平行に延びる第１部分と、前記第１部分に連続しており前記粘着テープロールの長手方向における少なくとも一方の端部を支持する第２部分とを備え、前記ハンドルは、前記ロール支持部に接続された状態で、前記第１部分に対して前記粘着テープロールの長手方向に交わる方向に延びており、前記ケースに前記ハンドルが分離した状態の前記ロール支持部が取り付けられ、かつ、前記ハンドル保持部に前記ハンドルが保持されたことにより、収納体が形成され、前記収納体で前記開口部が上方を向くように配置された場合に、前記収納体に上向きの面を構成する上載置領域と、下向きの面を構成する下載置領域とが形成され、前記上載置領域と前記下載置領域との上下寸法に対して、前記収納体における最上端と最下端との上下寸法が等しいか小さいものとできる。
【００１１】
この態様によると、複数の収納体を上下方向に積もうとする場合、下方の収納体の上載置領域と、上方の収納体の下載置領域とが浮き上がってしまわないので、複数の収納体を上下方向に確実に積み重ねることができる。
【００１２】
また、前記収納体で前記開口部が上方を向くように配置された場合に、前記第１部分の上面が平面となっており、複数の前記収納体を上下方向に積んだ場合に前記上面に対して別の前記収納体における前記下載置領域が接するものとできる。
【００１３】
この態様によると、複数の収納体を、平面を介して上方に積むことができるので、複数の収納体の積み重ねが安定する。
【００１４】
また、前記収納体における、前記開口部における周縁部の高さと、前記第１部分の上面の高さとが略等しいものとできる。
【００１５】
この態様によると、開口部における周縁部及び第１部分の上面の両方により上載置領域が構成され、上載置領域における上向きの面が略平面となる。このため、複数の収納体の積み重ねが安定する。
【００１６】
また、前記ケースに前記ハンドルが分離した状態の前記ロール支持部が取り付けられ、かつ、前記ハンドル保持部に前記ハンドルが保持されたことにより、収納体が形成され、前記開口部は、前記ケースにおいて収納された前記粘着テープロールの長手方向に沿って設けられており、前記ハンドル保持部は、前記ケースの内部であって、前記収納体における前記粘着テープロールの径方向中心よりも前記開口部寄りに設けられたものとできる。
【００１７】
この態様によると、粘着テープロールの断面形状が略円形である場合、ケースにおける粘着テープロールの径方向中心よりも開口部寄りには、粘着テープロールの通過を支障しないように空間が存在する。この空間をハンドル保持部として利用することで、ケースの内部空間を有効に利用できる。
【００１８】
また、前記ハンドル保持部は前記ケースの内部に設けられ、前記ロール支持部は、前記粘着テープロールの長手方向に対して平行に延びる第１部分と、前記第１部分に連続しており前記粘着テープロールの長手方向における少なくとも一方の端部を支持する第２部分を備え、前記ケースには前記ロール支持部が取り付けられ、その状態で前記第１部分は前記開口部の一部を覆い、前記開口部において前記第１部分に覆われない部分の各々における幅寸法が、前記ハンドルの径寸法よりも小さいものとできる。
【００１９】
この態様によると、開口部において第１部分に覆われない部分の各々における幅寸法が、ハンドルの径寸法よりも小さいため、ハンドルが第１部分に覆われた開口部を通過することが妨げられる。よって、ケース内部のハンドル保持部に保持されたハンドルが、例えケースをひっくり返してもケース外に出てしまうことを防止できる。
【００２０】
また、前記ハンドル保持部は前記ケースの内部に設けられ、前記ケースには少なくとも１本の前記ハンドルが保持され、前記ケースの長手方向における内寸に対し、前記ハンドルの全長が９０％以上１００％未満であるものとできる。
【００２１】
この態様によると、ケースの長手方向における内寸とハンドルの全長とが略等しい。よって、ケース内部のハンドル保持部に保持されたハンドルにガタつきが生じにくく、安定的に保持できる。
【発明の効果】
【００２２】
本発明によると、ケースとハンドルとの間に物理的な関係性を持たせることができるので、陳列時に分離したハンドルがケースからばらばらになることを防止できる。このため、安定的な包装状態を実現でき、かつ、販売等の際にコンパクトに陳列できる。
【図面の簡単な説明】
【００２３】
【図１】本発明の一実施形態に係る清掃具であって、使用開始後の形態を示す斜視図である。
【図２】同清掃具であって、使用開始前の形態を示す斜視図である。
【図３】同清掃具のうち、清掃具本体を示す斜視図である。
【図４】同清掃具のうち、清掃具本体のロール支持部（粘着テープロールが取り付けられた状態）を示す斜視図である。
【図５】同清掃具のうち、清掃具本体のハンドルを示す側面図である。
【図６】同清掃具のうち、ケースを示す斜視図である。
【図７】図２におけるＡ−Ａ矢視の端面図である。
【図８】図２におけるＢ−Ｂ矢視の端面図である。
【図９】同清掃具における収納体（包装体は図示しない）を上下二段に積んだ状態を示す側面図である。
【発明を実施するための形態】
【００２４】
次に本発明につき、一実施形態を取り上げて説明を行う。なお、以下の説明における上下方向は、図１及び図２に示された上下方向に対応している。また、内外方向に関しては、ケース３において粘着テープロール２１の保持される空間を基準とし、当該空間に面する方向を内方、面さない方向を外方とする。「内面」及び「外面」についても同様である。ただし、本発明の実施の際の方向は、以下に説明する方向に限定されるものではない。
【００２５】
本実施形態の清掃具１は、円筒状の粘着テープロール２１（以下、単に「ロール」と記載する）を備える清掃具本体２と、前記清掃具本体２のうち少なくともロール２１を収納するケース３とを備える。この清掃具１における、清掃具本体２の使用開始後の形態を図１に示し、少なくとも清掃具本体２の使用開始前（例えば販売等のための陳列時）の形態を図２に示す。ただし図２において、ケース３、ロール支持部２２、ハンドル２３の組み合わせである収納体１Ａ（後述）を包む包装材は図示省略している。
【００２６】
清掃具本体２は図３に示すような形態である。この清掃具本体２は、ロール２１を周方向に回転可能に支持するロール支持部２２、及び、ロール支持部２２とは別体に形成され、清掃実施時にロール支持部２２に接続された状態で用いられるハンドル２３とを備える。ハンドル２３は清掃実施時にユーザーが握る部分である。ロール支持部２２の形態を図４に示し、ハンドル２３の形態を図５に示す。
【００２７】
ロール２１は公知の構成を有するものを用いることができる。このロール２１は、剥離紙を剥がすことで粘着力のある外周面を露出させることができ、この外周面を家屋の床面等の清掃対象物の表面で転がすことにより、外周面に塵埃等を付着させて除去し、清掃対象物を清掃できる。
【００２８】
ロール支持部２２は、ロール２１の長手方向に対して平行に延びる第１部分としての基部２２１と、基部２２１に連続しておりロール２１の長手方向における少なくとも一方の端部を支持する第２部分としての枝部２２２とを備える。なお、ロール支持部２２の構成はこれに限定されず、種々の構成とできる。
【００２９】
基部２２１は、ロール２１に対向する側（ケース３への収納時における下側）に、複数の長手方向に延びるリブ２２１１が形成され、これにより長手方向への曲げに関し補強されている。基部２２１の、ロール２１と反対の側（ケース３への収納時における上側）は平面とされている。この平面である上面２２１２には、ケース３、ロール支持部２２、ハンドル２３の組み合わせである収納体１Ａが上下に積層された場合に、上方に位置する収納体におけるケース３の下縁が当接する。基部２２１には、ロール２１に対向する側に向かう筒状のハンドル接続部２２１３が設けられている（図７参照）。本実施形態のハンドル接続部２２１３は基部２２１に埋め込まれていて、基部２２１の表面にはハンドル接続部２２１３の内周面がハンドル接続穴２２１４として現れている（図２、図４参照）。本実施形態では、ハンドル２３の断面形状が円形であるため、ハンドル接続穴２２１４は円形の穴とされている。このハンドル接続穴２２１４に対してハンドル２３の先端部を挿入できる。ハンドル接続部２２１３の下縁にはハンドル２３の先端部に形成された嵌合爪２３１が嵌合する。これにより、ハンドル２３が基部２２１に容易に抜けないように固定される。
【００３０】
枝部２２２は、基部２２１の長手方向両端から交わる一方向に突出した板状の部分である。枝部２２２の先端には、図３及び図４に示すように、略円盤状のロール取付部２４が枝部２２２に対して回転可能に設けられている。ロール取付部２４は、図８に示すように、ロール２１の開放されている両端に嵌め込まれる。ロール取付部２４の径方向中央から一方向には、円柱状の突部２４１が突出している。本実施形態では、枝部２２２の厚み方向（ロール２１の長手方向に一致）に貫通した円形の貫通穴２２２２が設けられており、この貫通穴２２２２にロール取付部２４の突部２４１が通され、貫通穴２２２２に対して円柱状である突部２４１が回転できる。これにより、ロール２１はロール支持部２２に対して回転自在となっている。枝部２２２の貫通穴２２２２にロール取付部２４の突部２４１を通すには、対向する枝部２２２を間隔が広げる方向に撓ませて行う。なお、枝部２２２に対してロール２１を回転させるための構成はこれに限定されず、種々の構成とできる。
【００３１】
枝部２２２は、図３に示すように、厚み方向に段差部２２２１を備えており、段差部２２２１を境に径内側が厚く、径外側が薄く形成されている。この段差部２２２１をケース３において上下方向に形成されている差込溝３３に沿わせることで、ロール支持部２２をケース３に取り付けることができる。ロール支持部２２をケース３に取り付けた状態で、枝部２２２の厚み方向における一部（厚い部分）は差込溝３３に入り込んでおり、他の部分（薄い部分）はケース３の長手方向両端の外面のうち、差込溝３３の周囲を覆っている。
【００３２】
ハンドル２３は、図５に示すようなものであって、横断面形状が円形の直棒状とされている。このハンドル２３は、少なくとも清掃具本体２の使用開始前においてロール支持部２２から分離されていて、本実施形態ではケース３の内部に設けられたハンドル保持部４に保持される。ハンドル２３の先端部はロール支持部２２のハンドル接続部２２１３に接続される。ハンドル２３は、ロール支持部２２に接続された状態で、ロール支持部２２の基部２２１に対してロール２１の長手方向に交わる方向に延びている。本実施形態では、基部２２１の長手方向中央から基部２２１に直交してハンドル２３が突出している。
【００３３】
前述のように、ロール支持部２２のハンドル接続部２２１３にハンドル２３の嵌合爪２３１が嵌合することで、基本的には、ロール支持部２２にハンドル２３が一度接続されると容易に外すことができないようになっている。つまり、清掃具本体２の使用開始後は、ロール支持部２２にハンドル２３が接続された状態が維持される。
【００３４】
ハンドル２３の先端部には、嵌合爪２３１のほか、ハンドル接続穴２２１４に対する位置合わせを行うための突起２３２が設けられている。一方、ハンドル接続部２２１３の内面には、前記突起２３２に一致する部分に溝部２２１５が形成されている。このような位置合わせのための突起２３２と溝部２２１５との組み合わせにより、ユーザーが清掃具１（清掃具本体２）の使用に先立ち、家庭等でロール支持部２２にハンドル２３を取り付けることが容易である。
【００３５】
ケース３は図６に示すように略直方体形状とされている。ケース３の長手方向はロール２１の長手方向に一致し、ケース３の幅方向はロール２１の径方向に一致している。本実施形態ではケース３の上面が開放されていて、ケース３への収納に際してロール２１を通過させる開口部３１となっている。このため開口部３１は、ケース３において収納されたロール２１の長手方向に沿って設けられている。開口部３１は平面視で略長方形である。ケース３の長手側の外面（側面）は、下方に向かうにつれ湾曲しつつ幅方向が拡大する形状とされている。このため美観に優れており、また、下広がり形状であることから載置時の安定性に寄与できている。また、図７に示すように、ケース３の底部（下部）３２は、収納されたロール２１の下半分の外周面に沿うように、縦断面で半円形状に湾曲している。この底部３２における内面は、収納状態でのロール２１の外周面から離れた位置に設けられており、ロール２１の粘着力により、ロール２１をケース３から外しにくくなることを避けられる。ケース３の長手方向両端部には、上方が開口しており、下方が閉じていて上下方向に延びる差込溝３３が形成されている。差込溝３３は幅方向の中央に設けられ、厚み方向（ケース３の長手方向）に貫通している。この差込溝３３に、ロール支持部２２の枝部２２２が取り付けられる。差込溝３３の上部は幅寸法が拡大されてケース３の上縁に開口している。このため、ロール支持部２２を差込溝３３に取り付けやすい。
【００３６】
本実施形態のケース３は、ロール２１を収納すると共にハンドル２３を保持できるよう構成されている。このためケース３は、ロール支持部２２から分離したハンドル２３を保持するハンドル保持部４を備える。ここで前記「保持」とは、ケース３とハンドル２３との間で、ケース３に対してハンドル２３が自由状態とならない程度の関係性があることを意味する。例えば本実施形態のハンドル保持部４は、本実施形態ではケース３内部においてロール２１の外周面とケース３の開口部３１との間の空間である。このため、例えばケース３を傾けた場合に、当該空間の範囲でハンドル２３が動く程度のことは、保持状態として許容される。
【００３７】
本実施形態のハンドル保持部４は、ケース３の内部であって、収納体１Ａとされた状態でのロール２１の径方向中心よりも開口部３１寄りに設けられている。本実施形態では、図７に示す、ロール２１の外周面よりロール２１の中心基準で斜め上方に存在する空間がハンドル保持部４に該当する。ハンドル２３は、ロール２１の外周面及びケース３の幅方向における内面に当接することで保持される。ちなみに、このようにハンドル２３が保持されている時、清掃具本体２は使用開始前でロール２１の外周面は剥離紙で覆われているので、ハンドル２３がロール２１にくっついてしまうことはない。ハンドル２３は、ケース３の長手方向両端の内面により、ハンドル保持部４での長手方向の移動が規制される。ここで、ロール２１の断面形状が略円形である場合、ケース３におけるロール２１の径方向中心よりも開口部３１寄りには、収納または取り出しの際におけるロール２１の通過を支障しないように空間が必ず存在する。この空間をハンドル保持部４として利用することで、ケース３の内部空間を有効に利用できる。
【００３８】
本実施形態のハンドル保持部４に対して、ハンドル２３は置かれるだけであって、ハンドル保持部４においてハンドル２３が移動することを許容する状態とされている。ただしこれに限定されず、ハンドル２３をケース３に固定することで、ハンドル保持部４において不動とされてもよい。
【００３９】
ケース３におけるハンドル保持部４でハンドル２３を保持することにより、ケース３とハンドル２３との間に物理的な関係性を持たせることができる。よって、陳列時に分離したハンドル２３がケース３からばらばらになることを防止できる。また、本実施形態のハンドル保持部４は、ケース３の内面に面している。この構成により、ハンドル２３をケース３の内面に面して保持できる。このため、ケース３の内面から離れた位置にハンドル保持部４を設けた場合に比べ、ケース３とハンドル２３との距離を小さくできる。よって、例えば収納または取り出しの際にロール２１が通過する空間と兼用していない、ケース３の保持専用の空間を形成しなくてもいいので、ハンドル２３を保持した状態のケース３をコンパクトにできる。
【００４０】
収納体１Ａは、ケース３にハンドル２３が分離した状態のロール支持部２２が取り付けられ、かつ、ハンドル保持部４にハンドル２３が保持されたことにより形成される。本実施形態では、ハンドル保持部４がケース３の内部に設けられているため、収納体１Ａにおいて、ハンドル２３がケース３から飛び出ないようにできる。このようにケース３、ロール支持部２２、ハンドル２３が組み合わせられた収納体１Ａは、図示していないが、全体を樹脂製のシートや袋等の包装材により包んで包装できる。このように包装された収納体１Ａは、店頭等に単独で陳列することもできるが、上下に積層して陳列することもできる。このように上下に積層できることから、陳列スペースが限られた店舗であっても、多数の清掃具を収納体１Ａの状態で陳列でき、有利である。
【００４１】
収納体１Ａで開口部３１が上方を向くように配置された場合に、収納体１Ａには上向きの面を構成する上載置領域１Ａ１と、下向きの面を構成する下載置領域１Ａ２とが形成される。上載置領域１Ａ１と下載置領域１Ａ２との上下寸法に対して、収納体１Ａにおける最上端と最下端との上下寸法が等しいか小さくなるように設定されている。この構成により、複数の収納体１Ａ…１Ａを上下方向に積もうとする場合、下方の収納体１Ａの上載置領域１Ａ１と、上方の収納体１Ａの下載置領域１Ａ２とが確実に接することで、浮き上がってしまわないので、図９に示すように、複数（図示したものは２個）の収納体１Ａ…１Ａを上下方向に確実に積み重ねることができる。
【００４２】
また、本実施形態では、ロール支持部２２における基部２２１の上面２２１２が、突出部のない平面となっている。このため、収納体１Ａで開口部３１が上方を向くように配置された場合であって、複数の収納体１Ａ…１Ａを上下方向に積んだ場合に、基部２２１の上面２２１２に対して別の収納体１Ａにおける下載置領域１Ａ２が接する。この構成により、複数の収納体１Ａ…１Ａを、平面を介して上方に積むことができるので、図９に示すように、複数（図示したものは２個）の収納体１Ａ…１Ａの積み重ねが安定する。
【００４３】
また、本実施形態では、収納体１Ａにおける、開口部３１における周縁部の高さと、ロール支持部２２における基部２２１の上面２２１２の高さとが略等しい。実際には、図９に示すように、基部２２１の上面２２１２の方がわずかに高い。この構成により、開口部３１における周縁部及び基部２２１の上面２２１２の両方により上載置領域１Ａ１が構成され、上載置領域１Ａ１における上向きの面が略平面となる。このため、図９に示すように、複数（図示したものは２個）の収納体１Ａ…１Ａの積み重ねが安定する。
【００４４】
ケース３にはロール支持部２２が取り付けられ、その状態でロール支持部２２における基部２２１はケース３における開口部３１の一部を覆う。よって開口部３１は、基部２２１の幅方向両端縁とケース３の開口部３１における幅方向両端縁との間で二箇所に分かれて残存することになる。各開口部３１のうち開口が残存した部分、つまり、ケース３における開口部３１において基部２２１に覆われない部分の各々における幅寸法は、ハンドル２３の径寸法よりも小さく設定されている。この構成では、開口部３１においてロール支持部２２における基部２２１に覆われない部分の各々における幅寸法が、ハンドル２３の径寸法よりも小さいため、ハンドル２３が基部２２１に覆われた開口部３１を通過することが妨げられる。よって、ケース３内部のハンドル保持部４に保持されたハンドル２３が、例えケース３をひっくり返して開口部３１が下を向いたとしても、ケース３の外部に出てしまうことを防止できる。また、使用開始後のロール２１がロール支持部２２における基部２２１により覆われるから、基部２２１が「目隠し」となり、塵埃等が付着したロール２１が見えにくいので、ユーザーに不快感を与えることを抑制できるため有利である。
【００４５】
また、ケース３には少なくとも１本のハンドル２３が保持される。本実施形態で保持されるハンドル２３は１本である。複数本のハンドル２３を保持する場合には、複数本のハンドル２３を接続できるように形成することにより、長いハンドル２３を有する清掃具を提供できる。ハンドル２３が長い方が清掃実施時の使い勝手が良いため有利である。保持される１本のハンドル２３の全長は、ケース３の長手方向における内寸に対し、ハンドル２３の全長が９０％以上１００％未満とすることが好ましい。このような全長とすることにより、ケース３の長手方向における内寸とハンドル２３の全長とが略等しくできる。よって、ケース３内部のハンドル保持部４に保持されたハンドル２３にガタつきが生じにくく、安定的に保持できる。なお、ハンドル２３の全長が９０％未満であってもよいが、その長さではケース３に対して短すぎ、ハンドル保持部４がケース３の内部に設けられている場合、ハンドル２３の長手方向に生じる隙間が大きくなる。また、１００％以上であると、ハンドル保持部４がケース３の内部に設けられている場合、ハンドル２３をケース３に収納できないため不都合である。また、ハンドル保持部４がケース３の外部に設けられている場合、ハンドル２３の保持は可能であるが、ケース３から長手方向にハンドル２３がはみ出すため好ましくない。
【００４６】
以上、本発明の一実施形態について説明したが、本発明は前記実施形態に限定されるものではなく、本発明の要旨を逸脱しない範囲内において種々の変更を加えることができる。
【００４７】
例えば、前記実施形態のロール支持部２２は、基部２２１の両端から枝部２２２が突出した「両持ち」の形態であった。しかしこれに限定されず、ロール２１の一端だけを支持する「片持ち」であってもよい。
【００４８】
また、前記実施形態のハンドル２３は、断面形状が円形であった。しかしこれに限定されず、多角形または他の幾何学形状であってもよい。また、断面形状が扁平な形状であってもよい。また、長手方向で異なる大きさや断面形状となっていてもよい。ハンドル２３をこれらの形状とした場合、ハンドル２３の「径寸法」は、ハンドル２３の長手方向に直交する方向の投影面積が最小になる場合の投影形状における幅寸法で評価する。ケース３における開口部３１において基部２２１に覆われない部分の各々における幅寸法が、前記幅寸法よりも小さく設定されていれば、ハンドル２３が引っ掛かるため、前記実施形態と同様、ハンドル２３がケース３の外部に出てしまうことを防止できるためである。
【００４９】
また、前記実施形態のハンドル２３は、基部２２１に一度接続した後は、容易に分離できないよう構成されていた。しかし、例えば家庭にて使用時にのみハンドル２３を接続し、保管時にはハンドル２３を取り外すことができるように、容易に着脱可能とすることもできる。
【００５０】
また、ケース３の形状につき、前記実施形態は一例に過ぎず、種々の形状とできる。また、ケース３における開口部３１は、ケース３の側方が開口した形態であってよい。なおこの場合、清掃具本体２に関しては、ハンドル２３がロール２１に対して軸方向に突出した形態（ハンドル２３とロール２１の軸心が一致した形態）であってもよい。
【００５１】
また、前記実施形態のハンドル保持部４は、ケース３の内面に面していた。しかし、これに限定されず、ハンドル保持部４を、ケース３の外面に面するように形成することもできる。この場合、例えば、凹部への嵌め込み、爪部による引っ掛け、更に、両面テープによる貼着でハンドル２３を保持することができる。
【００５２】
また、ハンドル保持部４をケース３の外面に面するように形成する場合、例えば、図７に示す、ケース３の底部３２とケース３の下端との間の空間４Ｘをハンドル保持部４とすることもできる。
【００５３】
また、ロール支持部２２における基部２２１がケース３における開口部３１の一部を覆った状態で開口が残存した部分に一部が嵌るようにして、ハンドル２３を上方から置くこともできる。この場合、前記開口部３１の残存部分がハンドル保持部４となる。
【００５４】
また、ロール２１の内部をハンドル保持部４として、そこに分離したハンドル２３を収納することもできる。
【００５５】
また、ロール支持部２２における基部２２１とロール２１との間をハンドル保持部４として、そこにハンドル２３を収納することもできる。
【００５６】
また、図示しないが、収納体１Ａで開口部３１が上方を向くように配置された場合に、基部２２１の上面２２１２から、ハンドル２３が接続される柱状の被接続部を突出させることもできる。この場合、ケース３の下部（底部３２）には、複数の収納体１Ａ…１Ａを上下方向に積んだ場合に別の収納体１Ａにおける被接続部が入り込む凹部を形成する。凹部は、被接続部が入り込む大きさに形成される。これにより、基部２２１から被接続部が突出していても、下方の収納体１Ａの上載置領域１Ａ１に対して上方の収納体１Ａの下載置領域１Ａ２が浮き上がってしまわない。なお、被接続部は、ハンドル２３を装着した後の状態でユーザーが（ハンドル２３と共に）把持可能であってもよい。
【符号の説明】
【００５７】
１        清掃具
１Ａ      収納体
１Ａ１    上載置領域
１Ａ２    下載置領域
２        清掃具本体
２１      粘着テープロール
２２      ロール支持部
２２１    第１部分、基部
２２２    第２部分、枝部
２２１２  第１部分（基部）の上面
２３      ハンドル
２４      ロール取付部
３        ケース
３１      開口部
３２      底部
３３      差込溝
４        ハンドル保持部
【図１】
2020022598.tif 000003
【図２】
2020022598.tif 000004
【図３】
2020022598.tif 000005
【図４】
2020022598.tif 000006
【図５】
2020022598.tif 000007
【図６】
2020022598.tif 000008
【図７】
2020022598.tif 000009
【図８】
2020022598.tif 000010
【図９】
2020022598.tif 000011